(57)【特許請求の範囲】
【請求項１】
不特定の者が同時に利用し得る天板を備えたテーブル本体を有するテーブルであり、前記天板の反使用端側より後上方に向けてパネルを有する持ち出し部を設け、この持ち出し部の先端部側に、天板巾方向に沿って取付位置を選択可能にコンセント取付部を設けるとともに、このコンセント取付部及び前記パネルと前記天板の反使用端との間に上方に開放されているダクト空間を形成し、前記パネルによって前記ダクト空間の背面側を目隠しし得るように構成していることを特徴とするテーブル。
【請求項２】
持ち出し部が、天板の左右両端部の反使用端側に取り付けられ後上方に向かって先端部を持ち出したブラケットと、左右のブラケットの先端部よりも基端側の間に架け渡したパネルとから構成され、前記ブラケットの先端部間にコンセント取付部を設けていることを特徴とする請求項１記載のテーブル。
【請求項３】
コンセント取付部が、左右のブラケットの先端部間に架け渡したビームであることを特徴とする請求項２記載のテーブル。
【請求項４】
天板の反使用端近傍とパネルとの間に位置させて、ダクト空間内の底部よりも上方位置に上配線ダクトを設けていることを特徴とする請求項２又は３記載のテーブル。
【請求項５】
パネルの下縁側を折り曲げて、ダクト空間内の底部位置に、下配線ダクトを設けていることを特徴とする請求項２、３又は４記載のテーブル。
【請求項６】
コンセント取付部が、コンセントをスライド移動可能に取り付けているものであることを特徴とする請求項１、２、３、４又は５記載のテーブル。
【請求項７】
不特定の者が使用可能なテーブル本体に対し、その反使用端側より後上方に向けて持ち出し部を設け、この持ち出し部の先端部側に、天板巾方向に沿って取付位置を選択可能にコンセント取付部を設けるとともに、このコンセント取付部と前記テーブル本体との間に上方に開放されているダクト空間を形成したものであり、前記持ち出し部が、天板の左右両端部の反使用端側に取り付けられ後上方に向かって先端部を持ち出したブラケットと、左右のブラケットの先端部よりも基端側の間に架け渡したパネルとから構成され、前記ブラケットの先端部間にコンセント取付部を設けていることを特徴とするテーブル。
【請求項８】
コンセント取付部が、左右のブラケットの先端部間に架け渡したビームであることを特徴とする請求項７記載のテーブル。
【請求項９】
天板の反使用端近傍とパネルとの間に位置させて、ダクト空間内の底部よりも上方位置に上配線ダクトを設けていることを特徴とする請求項７又は８記載のテーブル。
【請求項１０】
パネルの下縁側を折り曲げて、ダクト空間内の底部位置に、下配線ダクトを設けていることを特徴とする請求項７、８又は９記載のテーブル。
【請求項１１】
コンセント取付部が、コンセントをスライド移動可能に取り付けているものであることを特徴とする請求項７、８、９又は１０記載のテーブル。
【発明の詳細な説明】
【０００１】
【発明の属する技術分野】
本発明は、授業や会議、講演会等において着席者の人数によらずＯＡ機器を利用する環境を有効に整えることができるようにしたテーブルに関するものである。
【０００２】
【従来の技術】
従来のパソコン等のＯＡ機器に対応した机では、天板の反使用端側に配線ダクトを設けているものが多数見受けられる。この種のデスクは、通常は使用者が自席として専有し、頻繁に入れ替わることがないので、一旦配線の引き回しを完了したら、配線ダクトにカバーを取り付けておくのが一般的である。
【０００３】
また、所定位置にコンセントの取り付けができるようにしたものも考えられており、その取付部は天板面に設定されることが多いが、それ以外の態様として天板面よりも低位置に設定しているものも見受けられる。
【０００４】
【発明が解決しようとする課題】
ところで、近時においては、授業や会議、講演会等でもパソコン等のＯＡ機器を用いる機会が増え、テーブルの適宜位置に着席した者がノートパソコンを取り出して天板上で使用する場合が多い。このような共用のテーブルにおいて、従来のＯＡ机と同様にカバーの取り付けが可能となるように配線ダクトを設けると、不特定多数の者が使用する度にカバーを開け閉めする作業が必要になり、煩雑である上に、カバーを外してしまうと意匠的な外観が低下するという不具合がある。
【０００５】
また、この種のテーブルにおいて所定位置にコンセント取付部を設けると、コンセントの取付箇所や取付個数が一定となるため、着席位置や人数によってはコンセントに上手くアクセスできないケースが生じ、使用人数の変化に上手く対応できないという不便さが生ずる。特に、天板面にコンセント取付部があると、パソコン等のＯＡ機器からコンセントまでの余剰配線が天板面に残るため、天板上での作業に支障を来たす場合が多くなる。とりわけこの種の長テーブルは、奥行寸法がさほど十分に確保されていないのが通例であるため、天板面は極力浸食されないようにしておくことが肝要である。
【０００６】
更に、コンセント取付部が天板面若しくはそれよりも低位置にある場合は、お茶やコーヒー等をこぼした場合に漏電の恐れもある。
【０００７】
【課題を解決するための手段】
上記の問題点を解消するために、本発明は、テーブルの反使用端側を有効利用して、邪魔にならず且つ使い勝手の良好となる位置にダクト空間及びコンセント取付部を構成することとしている。
【０００８】
【発明の実施の形態】
すなわち、本発明のテーブルは、不特定の者が同時に利用し得る天板を備えたテーブル本体を有するテーブルであり、前記天板の反使用端側より後上方に向けてパネルを有する持ち出し部を設け、この持ち出し部の先端部側に、天板巾方向に沿って取付位置を選択可能にコンセント取付部を設けるとともに、このコンセント取付部及び前記パネルと前記天板の反使用端との間に上方に開放されているダクト空間を形成し、前記パネルによって前記ダクト空間の背面側を目隠しし得るように構成していることを特徴とする。なお、ここで言うコンセントとは、情報コンセントや電源コンセント等を指称している。
【０００９】
このようなものであれば、ダクト空間が上方に開放されているため、使用者が頻繁に入れ替わっても配線の出し入れに便利であり、天板上の余剰配線は全てダクト空間に落とし込むことで天板上の作業に支障を来たす不都合も解消することができる。また使用端側に着席した位置からはダクト空間の開口付近は視認され難いため、意匠的な外観の低下も極力防止することができる。
【００１０】
しかも、コンセント取付位置は天板巾方向に選択性があるため、使用者によってはコンセントの使用位置が異なる場合や、着席者の人数や着席位置が変わっても、適宜コンセントの取付位置や取付個数を変更することが容易となる。
更に、反使用端より後上方に持ち出した持ち出し部の上縁に沿ってコンセントを取り付けるようにしているため、お茶やコーヒー等をこぼした場合にも漏電の恐れを有効に回避することができる。
【００１１】
持ち出し部の簡単で好ましい形態としては、天板の左右両端部の反使用端側に取り付けられ後上方に向かって先端部を持ち出したブラケットと、左右のブラケットの先端部よりも基端側の間に架け渡したパネルとから構成され、前記ブラケットの先端部間にコンセント取付部を設けているものが挙げられる。
コンセントの位置変更の連続性を確保し、取付個数の自由度を的確に高めるためには、コンセント取付部が、左右のブラケットの先端部間に架け渡したビームであることが好ましい。
【００１２】
配線処理を的確に行うためには、天板の反使用端近傍とパネルとの間に位置させて、ダクト空間内の底部よりも上方位置に上配線ダクトを設けているもの、或いは、パネルの下縁側を折り曲げて、ダクト空間内の底部に下配線ダクトを設けているものが好都合である。
コンセントの位置変更が容易であり、また着席者が入れ替わっても直ちにコンセントを使用できるようにするためには、コンセント取付部が、コンセントをスライド移動可能に取り付けていることが望ましい。また、他の具体的な実施態様としては、不特定の者が使用可能なテーブル本体に対し、その反使用端側より後上方に向けて持ち出し部を設け、この持ち出し部の先端部側に、天板巾方向に沿って取付位置を選択可能にコンセント取付部を設けるとともに、このコンセント取付部と前記テーブル本体との間に上方に開放されているダクト空間を形成したものであり、前記持ち出し部が、天板の左右両端部の反使用端側に取り付けられ後上方に向かって先端部を持ち出したブラケットと、左右のブラケットの先端部よりも基端側の間に架け渡したパネルとから構成され、前記ブラケットの先端部間にコンセント取付部を設けているものが挙げられる。
【００１３】
【実施例】
以下、本発明の一実施例を、図面を参照して説明する。
この実施例のテーブル１は、図１に示すように、授業や会議等において複数人が同時に着席して利用する際に好適となるもので、左右の脚体３の間に天板４を支持させてテーブル本体２を構成し、このテーブル本体２にダクト空間Ｓとコンセント取付部５２を設けたものである。
【００１４】
具体的に説明すると、図２に示すように、テーブル本体２を構成する脚体３は、前後方向に配置されるベース３１と、このベース３１の後端よりの上面に起立して設けた支柱３２とからなるもので、左右の支柱３２の上端部間及び下端部間がそれぞれ横桟３３、３４によって連結されている。支柱３２の上端部の前面側には前方に向けてステー３５が延長させて取り付けてあり、これら左右のステー３５に、複数人が同時に利用し得る天板領域を有する天板４を支持させている。このテーブル１の下肢空間は、前記横桟３４に下端を支持させ側縁を支柱３２の内面に固定した膜板３６によって背面側から視認し得ないようにされている。
【００１５】
そして、その反使用端側より後上方に向けてパネル５１を有する持ち出し部５を設け、パネル５１とテーブル本体２との間に上方に開放されたダクト空間Ｓを形成するとともに、前記持ち出し部５の上縁に沿って、天板巾方向に取付位置を選択可能にコンセント取付部５２を設けている。
持ち出し部５は、ブラケット５３とパネル５１から構成されるもので、ブラケット５３は側面視「く」字形をなし、天板４の左右両端部の反使用端側において支柱３２の内面に基端部５４を取り付け、先端部を上方に向かって持ち出した位置に取り付けられている。図３及び図４に示すように、パネル５１は、前記ブラケット５３の形状に対応して側面視「く」字形に屈曲する面板部５１ａと、この面板部５１ａの左右両側縁及び上縁に設けた折曲片５１ｂ、５１ｃとを具備してなる板金製のもので、面板部５１ａにはパンチングによって多数の孔が穿孔してある。そして、面板部５１ａをブラケット５３の後縁に沿って配置し、左右の折曲片５１ｂを対応するブラケット５３の内面に沿って配置して、左右のブラケット５３の先端部よりも基端側の内面間に架け渡している。
【００１６】
また、コンセント取付部５２は、横断面長円形状のパイプ部材から構成されるビーム５２ａで、長手寸法は左右のブラケット５３間の内法寸法に対応しており、それらの端部をビーム５２ａの先端部の内面に溶接等により取り付けてブラケット５３間に架け渡している。このビーム５２ａにコンセントを取り付ける際の一例としては、図６に示すようなクランプ５５を用いる態様が挙げられる。このクランプ５５は、下端側にビーム５２ａの横断面形状に略対応した凹溝５５ｍを有するホルダ５５ａと、このホルダ５５ａの前記凹溝５５ｍに臨む位置にねじ込まれてビーム５２ａを凹溝５５ｍの内壁に固定するねじ要素５５ｎとから構成されるもので、前記ホルダ５５ａの上面に電源コンセントや情報コンセント等のコンセント５６が支持されるようになっている。
【００１７】
このような構成に加えて、この実施例は、図３に示すように、前記ダクト空間Ｓ内に、上配線ダクト５７及び下配線ダクト５８を設けている。上配線ダクト５７は、前記横桟３３の背面側にチャネル状のダクト部材５７ａを取り付けて構成したものである。具体的には、図５に示すように、前記横桟３３の背面から後方に向かってパネル取付材５９が突出して設けてあり、前述したパネル５１をこのパネル取付材５９にねじ止めするようにしたもので、ダクト空間Ｓ内の底部よりも上方位置、具体的には天板４に近い位置に設けられている。また、下配線ダクト５８は、図４に示すように、前記パネル５１の下縁をＬ字状に折り返しており、その折り返し部分５１ｄの内側に、ダクト空間Ｓ内の底部にあって前記上配線ダクト５７に平行な下配線ダクト５８を形成している。
【００１８】
なお、以上において、天板４の巾寸法はほぼ１８００ｍｍ、奥行寸法はほぼ４００ｍｍであり、複数人が同時に着席して使用し得る天板領域を有している。また、天板４の反使用端からパネル５１までの距離はほぼ７５ｍｍ、天板４からビーム５２ａの上端までの距離はほぼ６０ｍｍに設定されている。
上記の構成からなるテーブル１であれば、図７に示すように、例えばノート型パソコン５ａを持った不特定多数の者がテーブル１に着席した際に、着座者の目の前においてコンセント取付部たるビーム５２ａにクランプ５５を使ってコンセント５６を取り付け、このコンセント５６にパソコン５ａのプラグを差し込むと共に、余剰配線５ｘを図３及び図６に示すように天板４の反使用端の後方において上方に開放されているダクト空間Ｓに落とし込めば、パソコンの使用が可能となる。そして、この状態では、天板４上に配線が乱雑に引き回される事態が有効に回避される。このため、天板本来の機能を有効に確保しておくことができる。また、この状態で使用端側の着席者からはダクト空間Ｓの開口付近が視認され難く、その内部の配線類も目に入らないため、テーブル１の意匠的な外観が損なわれることもなく、快適な作業環境を整えることができる。
【００１９】
しかも、コンセント取付位置がビーム５２ａに沿って天板巾方向に選択可能であるため、着座者によってはコンセント５６の使用位置が異なるケースや、着席者が増える等の理由によって着席位置を天板巾方向に変えなければならないケースや、それによって取付個数が増えるようなケースに出くわしても、コンセント５６の取付位置を変えるだけでよく、遠くから天板４上を這わして配線を引き回したり、配線同士が交錯したり、コンセント５６が不測する等といった不都合を有効に解消することができる。
【００２０】
更に、コンセント５６は天板４の反使用端より後上方に持ち出した位置に取り付けられるため、天板４上でお茶やコーヒー等をこぼしてもコンセント５６に直接掛かる恐れが少なく、漏電の恐れを大巾に低減して安全性と信頼性を向上させることができる。勿論、コンセント５６がこのような位置にあると、プラグの抜き差し等に極めて便利なものとなる。
【００２１】
また、持ち出し部５を、天板４の左右両端部の反使用端側に取り付けたブラケット５３と、左右のブラケット５３の間に架け渡したパネル５１とから構成し、前記ブラケット５３の先端部間にコンセント取付部５２を設けているため、構造簡単である上に、テーブル本体２への持ち出し部５の取り付けが容易であり、またパネル５１によってダクト空間Ｓの背面側を有効に目隠ししてテーブル１の外観を向上させることができる。
【００２２】
さらに、コンセント取付部５２が、左右のブラケット５３の先端部間に架け渡したビームであるため、コンセントの位置変更を連続的に行うことができ、またコンセントを比較的密に取り付けたり、疎に取り付ける等、取付個数の自由度も大巾に高めることができる。
加えて、天板４の反使用端近傍とパネル５１との間に位置させて、ダクト空間Ｓ内の底部よりも上方位置、具体的には天板４に近い位置に上配線ダクト５７を設け、或いは、パネル５１の下縁側を折り曲げてダクト空間Ｓ内の底部に前記上配線ダクト５７に平行な下配線ダクト５８を設けているため、ダクト空間Ｓ内における配線の引き回しを乱雑とならない範囲で有効な自由度をもって行うことができ、天板４からダクト空間Ｓへ落とし込む配線の処理、或いは床から立ち上げてダクト空間Ｓへ導く配線の処理等も適切に行うことが可能となる。また、上下の配線ダクト５７、５８を併用すれば、一方の電源系の配線収納部、他方を情報系の配線収納部というように区別して使用して、ノイズ対策等を有効に図ることが可能となる。
【００２３】
なお、各部の具体的な構成は、図示実施例のものに限定されるものではなく、本発明の趣旨を逸脱しない範囲で種々変形が可能である
【００２４】
【発明の効果】
本発明は、以上説明したような形態で実施され、以下に記載される効果を奏する。
すなわち、本発明のテーブルは、不特定の者が同時に利用し得る天板を備えたテーブル本体を有するテーブルであり、前記天板の反使用端側より後上方に向けてパネルを有する持ち出し部を設け、この持ち出し部の先端部側に、天板巾方向に沿って取付位置を選択可能にコンセント取付部を設けるとともに、このコンセント取付部及び前記パネルと前記天板の反使用端との間に上方に開放されているダクト空間を形成し、前記パネルによって前記ダクト空間の背面側を目隠しし得るように構成している。
【００２５】
このため、上方に開放されているダクト空間に天板上の余剰配線を簡単に落とし込むことができ、天板上に配線が乱雑に引き回される事態を有効に解消して、天板本来の機能を有効に確保することができる。勿論、このようにしても使用端側の着席者からはダクト空間の開口付近が視認され難いため、意匠的な外観が損なわれることも防止することができる。
【００２６】
しかも、コンセント取付位置を天板巾方向に選択可能としているため、着席者は着座位置に応じてコンセントの取付位置を選ぶことができ、不特定の者が使用しても随意な位置にてコンセントを使用でき、また取付個数が一定ではないため着席者が増えたような場合にも取付位置を有効に確保することができる。
更に、反使用端より後上方に持ち出した位置にコンセントを取り付けるようにしているため、天板上でお茶やコーヒー等をこぼしてもコンセントに直接掛かる恐れが少なく、漏電の恐れも大巾に低減することができる。
【００２７】
持ち出し部を、天板の左右両端部の反使用端側に取り付けたブラケットと、左右のブラケットの間に架け渡したパネルとから構成し、前記ブラケットの先端部間にコンセント取付部を設けておけば、構造簡単である上に、テーブル本体への取り付けが容易であり、またパネルによってダクト空間の背面側を有効に目隠しして、このテーブルが島形に配置される場合等に配線類が前席の着座者の妨げになることを防止でき、また前席の着座者から配線類を有効に保護することができる。
【００２８】
コンセント取付部が、左右のブラケットの先端部間に架け渡したビームである場合には、コンセントの位置変更を連続的に行うことができ、またコンセントを比較的密に取り付けたり、疎に取り付ける等、取付個数の自由度を大巾に高めることができる。
天板の反使用端近傍とパネルとの間に位置させて、ダクト空間内の底部よりも上方位置に上配線ダクトを設け、或いは、パネルの下縁側を折り曲げてダクト空間内の底部に下配線ダクトを設ければ、ダクト空間内における配線の引き回しを乱雑とならない範囲で自由度をもって行えるようにすることが可能となる。特に、上配線ダクトは着席者が都度余剰配線を落とし込む空間としての利用が可能であるのに対し、下配線ダクトはフロアから立ち上げた配線を収納する際に好適に利用することができる。また、上下の配線ダクトを併用すれば、一方の電源系の配線収納部、他方を情報系の配線収納部というように区別して使用して、ノイズ対策等を有効に図ることが可能となる。
【００２９】
コンセント取付部が、コンセントをスライド移動可能に取り付けている場合には、使用者にとってコンセントの位置変更操作が容易となり、また着席者が入れ替わっても直ちにコンセントを使用できる環境を整えることが可能となる。
【図面の簡単な説明】
【図１】本発明の一実施例を示す全体斜視図。
【図２】同実施例の側面図。
【図３】同実施例の側断面図。
【図４】同実施例のコンセント取付部の部分斜視図。
【図５】同実施例の上配線ダクトの部分斜視図。
【図６】同実施例の使用状態を示す部分斜視図
【図７】同実施例の使用状態を示す全体斜視図。
【符号の説明】
１…テーブル
５…持ち出し部
５１…パネル
５１ａ…面板部
５２…コンセント取付部
５２ａ…ビーム
５３…ブラケット
５５…クランプ
５７…上配線ダクト
５７ａ…ダクト部材
５８…下配線ダクト
Ｓ…ダクト空間
【図１】
0003637824.tif 000002
【図２】
0003637824.tif 000003
【図３】
0003637824.tif 000004
【図４】
0003637824.tif 000005
【図５】
0003637824.tif 000006
【図６】
0003637824.tif 000007
【図７】
0003637824.tif 000008